(57)【要約】      （修正有）【課題】録画予約が失敗することを防ぐとともに、予約録画に失敗したことをユーザーに告知する。【解決手段】録画予約が設定されている場合に前記接続判別手段によって接続されていないと判断されたときにはユーザーに接続されていないことを警告するための警告手段を設ける。【選択図】図１
2008109388.tif 000002
【特許請求の範囲】
【請求項１】
スクランブルが施された番組を受信するチューナユニットと、前記チューナユニットに接続され前記スクランブルを解除するためのデスクランブル手段と、前記チューナユニットの出力から契約確認情報を抽出する契約確認情報抽出手段と、使用者の契約情報が記憶される契約情報記憶手段が接続される接続手段と、前記契約確認情報抽出手段からの出力情報と前記接続手段から出力される前記契約情報記憶手段に記憶されている契約情報とを照合し受信する番組が契約済みであることが確認された場合にスクランブルを解除する信号を前記デスクランブル手段に送る契約情報照合手段と、前記接続手段が接続されているかどうかを検知する接続検知手段と、電源部のスタンバイ状態とオン状態を制御する電源制御手段と、前記デスクランブル手段の出力を記録する記録再生装置と、前記記録再生装置の記録予約を設定する記録予約設定手段を備えた放送受信記録装置において、
前記記録予約設定手段によって設定された記録予約開始時刻前であり、かつ、前記電源制御手段がスタンバイ状態のときに前記接続検知手段によって前記接続手段が接続されていないことを検知した場合に、前記電源制御手段によって電源をオンしたのち、警告手段によって前記接続手段を接続するよう警告するメッセージを表示手段に所定時間のあいだ表示することを特徴とする放送受信記録装置。
【請求項２】
スクランブルが施された番組を受信するチューナユニットと、前記チューナユニットに接続され前記スクランブルを解除するためのデスクランブル手段と、前記チューナユニットの出力から契約確認情報を抽出する契約確認情報抽出手段と、使用者の契約情報が記憶される契約情報記憶手段が接続される接続手段と、前記契約確認情報抽出手段からの出力情報と前記接続手段から出力される前記契約情報記憶手段に記憶されている契約情報とを照合し受信する番組が契約済みであることが確認された場合にスクランブルを解除する信号を前記デスクランブル手段に送る契約情報照合手段と、前記接続手段が接続されているかどうかを検知する接続検知手段と、電源部のスタンバイ状態とオン状態を制御する電源制御手段と、前記デスクランブル手段の出力を記録する記録再生装置と、前記記録再生装置の記録予約を設定する記録予約設定手段を備えた放送受信記録装置において、
記録予約設定手段によって設定された記録予約開始時刻前で、かつ、スタンバイ状態のときに前記接続検知手段によって前記接続手段が接続されたと検知され、かつ、前記契約情報照合手段によって照合結果が契約無しとなった場合に、前記電源制御手段によって電源をオンしたのち、警告手段によって前記契約情報照合手段による照合結果および前記契約確認情報に対する契約名を前記表示手段に所定時間表示することを特徴とする放送受信記録装置。
【請求項３】
スクランブルが施された番組を受信するチューナユニットと、前記チューナユニットに接続され前記スクランブルを解除するためのデスクランブル手段と、前記チューナユニットの出力から契約確認情報を抽出する契約確認情報抽出手段と、使用者の契約情報が記憶される契約情報記憶手段が接続される接続手段と、前記契約確認情報抽出手段からの出力情報と前記接続手段から出力される前記契約情報記憶手段に記憶されている契約情報とを照合し受信する番組が契約済みであることが確認された場合にスクランブルを解除する信号を前記デスクランブル手段に送る契約情報照合手段と、前記接続手段が接続されているかどうかを検知する接続検知手段と、電源部のスタンバイ状態とオン状態を制御する電源制御手段と、前記デスクランブル手段の出力を記録する記録再生装置と、前記記録再生装置の記録予約を設定する記録予約設定手段を備えた放送受信記録装置において、
記録予約設定手段によって設定された記録予約の実行が失敗した場合に、警告手段によって、前記契約情報照合手段および前記接続確認手段による確認結果とともに前記記録予約の実行が失敗したことを表すメッセージを表示手段に所定時間表示することを特徴とする放送受信記録装置。
【請求項４】
スクランブルが施された番組を受信するチューナユニットと、前記チューナユニットに接続され前記スクランブルを解除するためのデスクランブル手段と、前記チューナユニットの出力から契約確認情報を抽出する契約確認情報抽出手段と、使用者の契約情報が記憶される契約情報記憶手段が接続される接続手段と、前記契約確認情報抽出手段からの出力情報と前記接続手段から出力される前記契約情報記憶手段に記憶されている契約情報とを照合し受信する番組が契約済みであることが確認された場合にスクランブルを解除する信号を前記デスクランブル手段に送る契約情報照合手段と、前記接続手段が接続されているかどうかを検知する接続検知手段と、電源部のスタンバイ状態とオン状態を制御する電源制御手段と、前記デスクランブル手段の出力を記録する記録再生装置と、前記記録再生装置の記録予約を設定する記録予約設定手段を備えた放送受信記録装置において、
前記契約情報照合手段による照合結果が契約なしとなるか、前記接続確認手段による確認結果が接続なしとなるか、いずれかの場合には警告手段によって記録予約実行が不可能であることを表すメッセージを表示手段に所定時間表示することを特徴とする放送受信記録装置。
【請求項５】
前記警告手段は、前記スクランブルが施された番組の記録予約実行が不可能であることをメッセージで前記表示手段に表示する請求項４に記載の放送受信記録装置。
【請求項６】
前記警告手段は、前記放送受信記録装置が電源オフの場合には電源をオンした後に警告する請求項４乃至５に記載の放送受信記録装置。
【請求項７】
前記警告手段は、前記スクランブルが施された番組の記録予約が不可能であることと、前記契約情報照合手段の照合結果および前記接続確認手段による確認結果も含むメッセージを前記表示手段に表示する請求項４乃至６に記載の放送受信記録装置。
【請求項８】
前記警告手段は、前記スクランブルが施された番組の記録予約が不可能であることと、前記契約情報照合手段による照合結果および前記接続確認手段による確認結果も含むメッセージ表示を所定時問行う詣求項４乃至７に記載の放送受信記録装置。
【請求項９】
前記契約情報記憶手段がＩＣカードに設けられた請求項１乃至４に記載の放送受信記録装置。
【請求項１０】
前記接続手段が前記ＩＣカードを接続するためのインターフェースを有する請求項１乃至４に記載の放送受信装置。
【発明の詳細な説明】
【技術分野】
【０００１】
本発明は有料放送を受信する放送受信記録装置に係り、特に有料放送番組を録画予約した場合の契約状況を確認するための放送受信記録装置に関する。
【背景技術】
【０００２】
一般にＣＡＴＶ、ＣＳ放送やＢＳ放送で放送される有料放送では、有料番組にスクランブルを施し、放送局と受信契約した視聴者のみがスクランブルを解除して有料番組を視聴できるシステムとなっている。そして前記有料放送を受信してスクランプル解除した映像および音声信号を記録し、予約録画できる受信装置がある。このシステムは地上波デジタル放送においても同様に用いられる可能性がある。
【０００３】
図４に、従来の有料放送を視聴および記録するための有料放送受信記録装置のブロック図を示す。図４に示したブロック図では、チューナユニット１、信号処理部１２ａを構成するデスクランブル手段２、ＭＰＥＧデコーダ３、ビデオエンコーダ４、契約情報識別部１３ａを構成する契約情報抽出手段５、契約情報記憶手段６、接続手段７、システム制御部１４ａを構成する記録予約設定手段８、契約情報照合手段９、電源制御手段１１ａと、電源部１１、記録再生装置２７、および表示手段２８を備えている。
【０００４】
特許文献１には、ＩＣカードが挿入されていないと判定された場合、または、放送番組のスクランブルの解除が出来ないと判定された場合に、予め定めたスクランブルされていない視聴案内番組に受信番組を切り替える番組切り替え手段を備えたデジタル放送受信装置の構威が開示されている。
【０００５】
特許文献２には、スクランブルデコーダからの信号の有無を判別する信号判別回路と、この信号判別回路からの出力に基づき、衛星放送の録画予約の設定時において、スクランブルデコーダから信号が得られないときには、警告処理を行うマイクロコンピュータを備えた録画装置の構成が開示されている。
【特許文献１】特開２００５−３０３７５９
【特許文献２】実開平５−１１６６０
【発明の開示】
【発明が解決しようとする課題】
【０００６】
しかしながら、特許文献１に記載の発明では、契約情報を記憶したＩＣカードが挿入されていないことを検知して、スクランブルのない放送に自動的に切り替えることが出来るが、予約録画対象番組の録画実行失敗を防止する方法については何ら記載がない。
【０００７】
また、特許文献２に記載の発明では、スクランブルデコーダから信号が得られないときには警告処理を行ってユーザーに警告することができるが、電源オフの際にＩＣカードが抜かれた場合の対策については何ら記載がない。
【０００８】
上述の通り、特許文献１および２を組み合わせても、従来の技術では有料放送番組が録画予約され、受信装置の電源がオフされた後に、前記有料放送番組と契約しているＩＣカードが抜き取られた場合、前記録画予約の開始時刻が来ても予約録画が実行されないという課題があった。特に契約済みの１枚のＩＣカードで、複数台の受信装置を使う環境においては、上記のような課題が発生する可能性が高い。
本発明は、録画予約が失敗することを防ぐとともに、予約録画に失敗したことをユーザーに告知することを目的とする。
【課題を解決するための手段】
【０００９】
放送受信記録装置において、スクランブルが施された番組を受信するチューナユニットと、前記チューナユニットに接続され前記スクランブルを解除するためのデスクランブル手段と、前記チューナユニットの出力から契約確認情報を抽出する契約確認情報抽出手段と、使用者の契約情報が記憶される契約情報記憶手段が接続される接続手段と、前記契約確認情報抽出手段からの出力情報と前記接続手段から出力される前記契約情報記憶手段に記憶されている契約情報とを照合し受信する番組が契約済みであることが確認された場合にスクランブルを解除する信号を前記デスクランブル手段に送る契約情報照合手段と、前記接続手段が接続されているかどうかを検知する接続検知手段と、電源部のスタンバイ状態とオン状態を制御する電源制御手段と、前記デスクランブル手段の出力を記録する記録再生装置と、前記記録再生装置の記録予約を設定する記録予約設定手段を備え、記録予約設定手段によって設定された前記記録予約開始時刻前にスタンバイ状態のときに前記接続検知手段によって前記接続手段が接続されていないと検知された場合に、前記電源制御手段によって電源をオンしたのち、警告手段によって前記接続手段を接続するよう警告するメッセージを表示手段に所定時間表示する。
【００１０】
放送受信記録装置において、スクランブルが施された番組を受信するチューナユニットと、前記チューナユニットに接続され前記スクランブルを解除するためのデスクランブル手段と、前記チューナユニットの出力から契約確認情報を抽出する契約確認情報抽出手段と、使用者の契約情報が記憶される契約情報記憶手段が接続される接続手段と、前記契約確認情報抽出手段からの出力情報と前記接続手段から出力される前記契約情報記憶手段に記憶されている契約情報とを照合し受信する番組が契約済みであることが確認された場合にスクランブルを解除する信号を前記デスクランブル手段に送る契約情報照合手段と、前記接続手段が接続されているかどうかを検知する接続検知手段と、電源部のスタンバイ状態とオン状態を制御する電源制御手段と、前記デスクランブル手段の出力を記録する記録再生装置と、前記記録再生装置の記録予約を設定する記録予約設定手段を備え、記録予約設定手段によって設定された記録予約開始時刻前で、かつ、スタンバイ状態のときに前記接続検知手段によって前記接続手段が接続されたと検知され、かつ、前記契約情報照合手段によって照合結果が契約無しとなった場合に、前記電源制御手段によって電源をオンしたのち、警告手段によって前記契約情報照合手段による照合結果および前記契約確認情報に対する契約名を表示手段に所定時間表示する。
【００１１】
放送受信記録装置において、スクランブルが施された番組を受信するチューナユニットと、前記チューナユニットに接続され前記スクランブルを解除するためのデスクランブル手段と、前記チューナユニットの出力から契約確認情報を抽出する契約確認情報抽出手段と、使用者の契約情報が記憶される契約情報記憶手段が接続される接続手段と、前記契約確認情報抽出手段からの出力情報と前記接続手段から出力される前記契約情報記憶手段に記憶されている契約情報とを照合し受信する番組が契約済みであることが確認された場合にスクランブルを解除する信号を前記デスクランブル手段に送る契約情報照合手段と、前記接続手段が接続されているかどうかを検知する接続検知手段と、電源部のスタンバイ状態とオン状態を制御する電源制御手段と、前記デスクランブル手段の出力を記録する記録再生装置と、前記記録再生装置の記録予約を設定する記録予約設定手段を備え、記録予約設定手段によって設定された記録予約の実行が失敗した場合に、警告手段によって、前記契約情報照合手段および前記接続確認手段による確認結果とともに前記記録予約の実行が失敗したことを表すメッセージを表示手段に所定時間表示する。
【００１２】
放送受信記録装置において、スクランブルが施された番組を受信するチューナユニットと、前記チューナユニットに接続され前記スクランブルを解除するためのデスクランブル手段と、前記チューナユニットの出力から契約確認情報を抽出する契約確認情報抽出手段と、使用者の契約情報が記憶される契約情報記憶手段が接続される接続手段と、前記契約確認情報抽出手段からの出力情報と前記接続手段から出力される前記契約情報記憶手段に記憶されている契約情報とを照合し受信する番組が契約済みであることが確認された場合にスクランブルを解除する信号を前記デスクランブル手段に送る契約情報照合手段と、前記接続手段が接続されているかどうかを検知する接続検知手段と、電源部のスタンバイ状態とオン状態を制御する電源制御手段と、前記デスクランブル手段の出力を記録する記録再生装置と、前記記録再生装置の記録予約を設定する記録予約設定手段を備え、前記契約情報照合手段による照合結果が契約なしとなるか、前記接続確認手段による確認結果が接続なしとなるか、いずれかの場合には警告手段によって記録予約実行が不可能であることを表すメッセージを表示手段に所定時間表示する。
【００１３】
放送受信記録装置において、前記警告手段は、前記スクランブルが施された番組の記録予約実行が不可能であることをメッセージで前記表示手段に表示する。
【００１４】
放送受信記録装置において、前記警告手段は、前記放送受信記録装置が電源オフの場合には電源をオンした後に警告する。
【００１５】
放送受信記録装置において、前記警告手段は、前記スクランブルが施された番組の記録予約が不可能であることと、前記契約情報照合手段の照合結果および前記接続確認手段による確認結果も含むメッセージを前記表示手段に表示する。
【００１６】
放送受信記録装置において、前記警告手段は、前記スクランブルが施された番組の記録予約が不可能であることと、前記契約情報照合手段による照合結果および前記接続確認手段による確認結果も含むメッセージ表示を所定時問行う。
【００１７】
放送受信記録装置において、前記契約情報記憶手段がＩＣカードに設けられる。
【００１８】
放送受信記録装置において、前記接続手段が前記ＩＣカードを接続するためのインターフェースを有する。
【００１９】
前述の構成としたことにより、予約録画設定後に契約情報記憶手段が接続されていないことを検知したときに、接続するように警告する作用する。
【００２０】
また前記構成により、契約確認情報に対応するＩＣカードが挿入されていない場合には契約すべき放送局名及び番組名を表示するように作用する。
【００２１】
また予約記録が失敗した場合には失敗した内容を告知するように作用する。
【発明の効果】
【００２２】
請求項１に記載の発明によれば、記録予約設定後に電源オフされてからＩＣカードが抜かれたときには、電源をオンしてＩＣカードを挿入することよう警告することによって、ＩＣカードが挿入されていないことによる記録予約の失敗を防ぐことが可能となる。
【００２３】
請求項２に記載の発明によれば、記録予約設定後にＩＣカードが挿入されたのを接続検知手段によって検知して、挿入が検知されたときに予約記録対象番組に対する契約情報があるかどうかを契約情報照合手段によって照合して、契約情報がない場合には契約が無いことと、契約が必要な放送局名や番組名を警告することによって、ユーザーは契約対象のＩＣカードを挿入して記録予約の失敗を防ぐことが可能となる。
【００２４】
請求項３に記載の発明によれば、記録予約実行が失敗したときに、ＩＣカードが挿入されていたかどうか、記録予約対象番組に対する契約がなされたＩＣカードが挿入されていたかどうかの結果を表示手段によって表示することによって、何故記録予約が失敗したかをユーザーに知らせることができ、放送受信記録装置の故障ではないことを知らせることが可能となる。
【００２５】
請求項４に記載の発明によれば、記録予約対象番組とＩＣカードの照合と、ＩＣカードが挿入されているかどうか、いずれかに該当する場合には記録予約実行不可能であることを警告することによって、ユーザーに対応を促すことが可能となる。
【００２６】
請求項５に記載の発明によれば、表示手段を用いて警告表示することでユーザーが認識する可能性を向上することが可能となる。
【００２７】
詣求項６に記載の発明によれば、放送受信記録装置が電源オフの場合には電源オンして警告することにより、電源オフしているときにでもユーザーが認識する可能性を向上することが可能となる。
【００２８】
請求項７に記載の発明によれば、記録不可能であるメッセージだけではなく、契約情報照合手段および前記接続確認手段による確認結果も含めたメッセージを表示することによって、記録不可能である理由を告知してユーザーが対応可能にすることが出来る。
【００２９】
請求項８に記載の発明によれぱ、メッセージ表示を所定時間行うことでユーザーが認識する可能性を向上することが出来る。
【００３０】
詣求項９に記載の発明によれば、契約情報を、ＩＣカードに記憶することで、契約情報の携帯を容易にすることが可能となる。
【００３１】
請求項１０に記載の発明によれば、ＩＣカードを接続するためのインターフェースを有
することによって、契約情報と契約情報照合手段との接続および非接続を容易にすることが可能となる。
【発明を実施するための最良の形態】
【００３２】
以下、図面を参照しつつ、本発明の実施の形態について説明する。
【実施例１】
【００３３】
図１は本発明の実施例にかかるブロック図を示す。図１を参照して有料放送番組の受信から映像信号出力までの信号の流れを説明する。
【００３４】
図示しないアンテナから、もしくはケーブル基地局から受信した放送信号をチューナユニット１で受け取り、ユーザーにより選局された有料放送チャンネルに同調し、中間周波数に復調された信号を出力する。前記有料放送チャンネルの信号には、映像および音声信号のほかに契約しているユーザーに対して個別の契約確認情報が多重化されており、前記契約情報信号を契約確認信号抽出手段５によって抽出する。契約情報記憶手段６には、ユーザーが前記有料放送を視聴可能とするための、契約情報が記憶されている。通常ユーザーは放送局サービス会社と個別に契約を行い、前記契約情報は前記契約情報記憶手段を内蔵したＩＣカードに記憶される。現在普及している、
1161750212866_0.html
、１１０°ＣＳデジタル放送などのデジタル放送を受信する機器(テレビやチューナー)などに添付されているＢ−ＣＡＳ（登録商標）カード（ビーキャスカードBS-Conditional Access Systems Card）がＩＣカードの一つである。前記ＩＣカードを接続手段７によって放送受信装置本体に接続する。接続手段７は主に前記ＩＣカードに記憶された前記契約情報を読み出すためのインターフェースであり、前記ＩＣカードを挿入可能な挿入口であることが好ましく、援続手段７はシステム制御部１４ａに接続される。また接続手段７はＩＣカードの有無、つまり接続手段が接続されているかどうかを判別するための接続検知手段１０ｂにも接続されている。
【００３５】
電源制御手段１１ａは、電源部１１の二つの状態を制御する。一つはスタンバイ状態で、これはユーザーからの指令に対して応答するための最低限の電力供給モードで、システム制御部１４ａにのみ電源を供給し、電子機器の消費電力を抑えることを主目的として、温度上昇での電子部品の劣化防止の目的も含まれる。もう一方は、電源オン状態で、電子機器のすべてのブロックに電源が供給されてすべての動作にすぐに移行できるモードである。
【００３６】
接続手段７によって接続された契約情報記憶手段６から、システム制御部１４ａによって前記契約情報が読み出され、契約情報照合手段９が読み出された前記契約情報と契約確認情報抽出手段５によって抽出された契約確認情報から、前記ユーザーによって選局された有料放送番組が契約されているかどうかを判定して、契約されていると判定されれば、デスクランブル手段２に対して、スクランブルを解除するように指示を出す。契約情報照合手段９が契約されていないと判定した場合には、デスクランブル手段２に対して、指示は出ない。
【００３７】
契約情報照合手段９から指示をうけたデスクランブル手段２は、スクランブルが施された映像及び音声信号をスクランブル解除して、ＭＰＥＧデコーダ３に入力され、ＭＰＥＧ２フオーマットでデコードされる。ＭＰＥＧ２でデコードされた信号はＡＶ出力部により、図示されないテレビなどの表示機器や記録機器に出力される。
【００３８】
次に録画予約の設定を行う処理を、図２のフローチャートを参照しながら説明する。契約情報が記録されたＩＣカードが放送受信機に接続されているかどうかを判別する（ステップＳ２０１）。現在普及しているデジタル放送対応テレビ受信機においては、受信する放送が有料であるかどうかに関わらずＩＣカードを挿入していなければ受信された映像を視聴できないようになっているものが多い。有料でない放送を視聴する際にもＩＣカードを挿入しなければならないようになっている。
【００３９】
ステップＳ２０１でＩＣカードが接続されていると判別されたら、録画予約に必要となる項目を入力する（ステップＳ２０２）。入力項目としては、チャンネル、日付、開始時刻、終了時刻、録画モード等がある。録画モードとは、近年普及しているＤＶＤレコーダやハードディスクレコーダの録画機器における録画の際に設定必要となる項目で、画質の品質のことを意味しており、通常６段階に区分され、品質の高い順に、ＸＰ、ＳＰ、ＬＰ、ＥＰ、ＳＬＰ、ＳＥＰと決められている。
【００４０】
ステップＳ２０２でチャンネルが入力されると前記チャンネルが有料チャンネルかどうかを判別する（ステップＳ２０３）。ステップＳ２０３で有料チャンネルではないと判別されると、電源オフ（ステップＳ２０６）されて録画待機状態となる。
【００４１】
一方、ステップＳ２０３で有料チャンネルであると判別されると、ＩＣカードが接続されているかを判別する（ステップＳ２０４）。ステップＳ２０４でＩＣカードが接続されていると判断されると、ユーザーは電源オフ（ステップＳ２０６）して放送受信装置は録画待機状態となる。ステップＳ２０４でＩＣカードが接続されていないと判別されると、前記チャンネルは指定が不可能である告知を行う表示が行われ（ステップＳ２０５）、ユーザーは、前記チャンネルの契約情報を有するＩＣカードを挿入するか、ステップＳ２０２に戻ってチャンネルを有料放送ではないチャンネルに設定しなおすか、いずれかを行うことになる。
【００４２】
次に図３のフローチャートをもとに、図１、図４、図５を参照しながら、本発明の動作を説明する。Ｂ−ＣＡＳカードがテレビ受信機に挿入されているかどうかの判断を接続検知手段１０ｂによって接続手段７の接続有無を確認し（ステップＳ３０１）、ＩＣカードが挿入されていると判断されると、テレビ受信機の電源がオンされているかどうかをシステム制御部１４ａによって電源ブロックを検知して判断する（ステップＳ３０４）。電源オンされていると判断されると、記録予約設定手段８で設定された記録予約開始時刻と現在時刻と比較して記録予約開始時刻前かどうかを判断する（ステップＳ３０６）。
【００４３】
ステップＳ３０６で記録予約開始時刻前であると判断されると、警告手段１０からＡＶ出力部４にＯＳＤのキャラクターデータを出力するように指令が送られ、ＩＣカードを挿入するよう警告メッセージをＡＶ出力部４が出力して表示手段２８によってメッセージが表示される（ステップＳ３０７）。メッセージ表示内容の一例を図４に示す。
【００４４】
ステップＳ３０６で記録予約開始時刻  ではない、すなわち記録予約開始時刻を過ぎていると判断された場合には、警告手段１０からＡＶ出力部４にＯＳＤのキャラクターデータを出力するように指令が送られ、記録予約が失敗したことを表す警告メッセージをＡＶ出力部４が出力して表示手段２８によってメッセージが表示され記録予約が失敗したことを告知する（ステップＳ３０８）。メッセージ表示内容の一例を図５に示す。
【００４５】
ステップＳ３０４で、システム制御部１４ａが電源ブロック１１を検知した結果、電源オン状態ではない、すなわち電源オフ状態であると判断された場合には、電源ブロック１１をオンして（ステップＳ３０５）、ステップＳ３０６に進む。
【００４６】
ステップＳ３０１で、接続検知手段１０ｂによって接続手段７の接続有無を確認した結果、非接続である、すなわちＩＣカード未挿入と判断された場合には、記録予約対象番組に対する契約情報がＩＣカードにあるかどうかを、契約情報記憶手段６から接続手段７を介して読み出され、一方契約があるかどうかを確認するための契約確認情報は、受信した放送信号からは契約確認情報抽出手段５によって抽出され、前記契約情報と契約確認情報が契約情報照合手段９によって判断される。
【００４７】
ステップＳ３０２にて契約情報有りと判断された場合には、記録予約スタンバイ、すなわち、記録予約開始時刻までの待機状態となる（ステップＳ３０３）。
【００４８】
ステップＳ３０２で、契約情報無しと判断された場合には、ステップＳ３０６へと進む。
【図面の簡単な説明】
【００４９】
【図１】本発明に係る実施例のプロック図を表す。
【図２】本発明に係る実施例の録画予約設定のフローチャートを表す。
【図３】本発明に係る実施例の警告表示のフローチャートを表す。
【図４】本発明に係る実施例の警告表示画面を表す。
【図５】本発明に係る実施例の予約失敗表示画面を表す。
【図６】従来技術のブロック図を表す。
【符号の説明】
【００５０】
１  チューナユニット
２  デスクランブル手段
５  契約確認情報抽出手段
６  契約情報記憶手段
７  接続手段
８  記録予約設定手段
９  契約情報照合手段
１０  警告手段
１０ｂ  接続検知手段
１１  電源部
１１ａ  電源制御手段
２８  表示手段
【図２】
2008109388.tif 000003
【図３】
2008109388.tif 000004
【図４】
2008109388.tif 000005
【図５】
2008109388.tif 000006
【図１】
2008109388.tif 000007
【図６】
2008109388.tif 000008